(57)【要約】【課題】安全で、充電可能で、携帯に便利な電気懐炉を提供する。【解決手段】  電気懐炉は、ケーシング台座、台座カバー１、ＰＣボード８、及び発熱体５を備える。ＰＣボード８、及び発熱体５は、互いに接続されてから、制御スイッチを通じて、バッテリパネル２と接続される。バッテリパネル２は、ケーシング台座の表面にあるバッテリパネルフリュートの中に設置される。ＰＣボード８及び発熱体５は、ケーシング台座の中に設置される。ケーシング台座の底面の発熱体５の裏面には、発熱金属板６が設置される。発熱金属板６の上には、複数の斜めの穴が均一に設置されている。当該斜めの穴に、ゲルマニウム粒７が固定されている。【選択図】図１
0003165206.tif 000002
【実用新案登録請求の範囲】
【請求項１】
ケーシング台座、台座カバー、知能制御回路、及び発熱体を備え、
前記知能制御回路及び前記発熱体は、前記ケーシング台座の中に設置され、互いに接続されてから制御スイッチを通じてバッテリパネルと接続され、
前記バッテリパネルは、前記ケーシング台座の表面にあるバッテリフリュートの中に設置され、
前記ケーシング台座底面の前記発熱体の裏面には、発熱金属板が設置され、
当該発熱金属板の上には複数の斜めの穴が均一に設置され、
当該斜めの穴にゲルマニウム粒が固定されていることを特徴とする電気懐炉。
【請求項２】
前記発熱金属板の表面には、陰イオン遠赤外線コーティングが施されていることを特徴とする請求項１に記載の電気懐炉。
【請求項３】
インジケーターランプは、前記知能制御回路に接続され、前記ケーシング台座の表面に設置されることを特徴とする請求項１に記載の電気懐炉。
【請求項４】
前記制御スイッチは、前記台座カバーの境の前記ケーシング台座上に設置されることを特徴とする請求項１に記載の電気懐炉。
【請求項５】
前記バッテリパネルは、前記ケーシング台座の壁に設置されている外接充電コンセントを通じて、充電できることを特徴とする請求項１−４のいずれか一項に記載の電気懐炉。
【請求項６】
前記ケーシング台座の前記壁には、チェーン掛け用穴が設置されることを特徴とする請求項１に記載の電気懐炉。
【請求項７】
長さ、幅、高さは、それぞれ８５ｍｍ、６２ｍｍ、２２ｍｍに設計されることを特徴とする請求項１に記載の電気懐炉。
【考案の詳細な説明】
【技術分野】
【０００１】
本考案は電気懐炉に関する。
【背景技術】
【０００２】
従来の懐炉は、木炭を燃やして放熱させるものが一般的であった。しかしながら、使用中、木炭は点火し難く、木炭の燃焼によって生じる灰燼は掃除が面倒で、使用上不安全であり、木炭の燃焼には危険性があった。カーボンロッドは、一般的に１時間ぐらい燃え、使用上不便であるため、使用し難い。また、従来の懐炉の断熱材料は、石綿を使っていたが、木炭を交換する場合、石綿が使用者の皮膚に付いて、皮膚が痒くなる虞があった。また、従来の懐炉は、暖房機能しかなく、遠赤外線機能及び陰イオン機能を有していなかった。
【考案の概要】
【考案が解決しようとする課題】
【０００３】
本考案は、安全で、充電可能で、携帯に便利な電気懐炉を提供することを目的とする。
【課題を解決するための手段】
【０００４】
本考案の電気懐炉は、ケーシング台座、台座カバー、知能制御回路及び発熱体を備える。知能制御回路及び発熱体は、ケーシング台座の中に設置され、互いに接続された後制御スイッチを通じてバッテリパネルと接続される。バッテリパネルは、ケーシング台座の表面のバッテリフリュートの中に設置される。ケーシング台座の底面の発熱体の裏面には、発熱金属板が設置される。発熱金属板の上には複数の斜めの穴が均一に設置され、この斜めの穴にゲルマニウム粒が固定されている。
【０００５】
発熱金属板の表面には、陰イオン遠赤外線コーティングが施されている。
インジケーターランプは、知能制御回路に接続されている。インジケーターランプは、ケーシング台座の表面に設置されている。制御スイッチは台座カバーの境のケーシング台座上に設置されている。バッテリパネルは、ケーシング台座の壁に設置されている外接充電コンセントを通じて、充電可能である。ケーシング台座の壁には、チェーン掛け用穴が設置されている。本考案の電気懐炉は、一例として、長さ、幅、高さが、それぞれ８５ｍｍ、６２ｍｍ、２２ｍｍに設計される。
【０００６】
（考案の効果）
本考案の電気懐炉は、電力を使用し、知能制御回路及び制御回路を通じて温度を効果的に制御するため、異なる状況の異なる人々のニーズを満たすことができる。
また、本考案の電気懐炉は、使用に非常に便利且つ安全で、随時充電することができ、携帯に便利である。
さらにまた、独特のデザインにより、本考案の電気懐炉は、保健用の製品となり、人々に熱を提供して暖かくすると同時に、保健、保養の機能をも提供する。
【図面の簡単な説明】
【０００７】
【図１】本考案の電気懐炉の分解斜視図。
【考案を実施するための形態】
【０００８】
以下、本考案の一実施形態を図面に基づいて説明する。
（一実施形態）
本考案の一実施形態の電気懐炉は、図１に示されている通り、ケーシング台座、台座カバー１、知能制御回路としてのＰＣボード８、及び発熱体５を備える。
ケーシング台座は、中間カバー３と下カバー４を有する。その間にはＰＣボード８がカードスロットによって固定される。
【０００９】
ＰＣボード８（知能制御回路）及び発熱体５は、接続されてから、制御スイッチ９を通じてバッテリパネル２と接続される。
制御スイッチ９は、台座カバー１の境のケーシング台座の中間カバー３上に設置され、「切」、「高温」、「低温」のボタンが付いている。
バッテリパネル２は、ケーシング台座の中間カバー３の表面にあるバッテリパネルフリュートに設置される。
【００１０】
ＰＣボード８（知能制御回路）は、ケーシング台座の中間カバー３と下カバー４とによって形成されるスペースの中に設置される。バッテリパネル２は、下カバー４の裏面に設置される。
ケーシング台座の下カバー４の底面の発熱体５の裏面には発熱金属板６が設置される。発熱金属板６の上には複数の斜めの穴が均一に設置されている。当該斜めの穴には、複数のゲルマニウム粒７が固定されている。本実施形態では１０粒のゲルマニウム粒７が使用されている。
【００１１】
発熱金属板６の表面には、陰イオン遠赤外線コーティングが施されている。これにより、血液循環促進や、人体内毒素排出、組織細胞の活性化などの作用があり、血液中の酸素輸送、吸収利用などに有利で、人体新陳代謝の促進、人体免疫力強化の作用がある。
【００１２】
本実施形態中のゲルマニウム粒７において、ゲルマニウム金属は少量のエネルギーによって役割を果たせるが、その他トランジスタの場合は大量のエネルギー（高温、電流、電圧）がなければならない。
【００１３】
ゲルマニウム原子核の周りには３２の電子があって、最外殻の４つの電子は不規則の運動をする。一旦温度が上がると、最外殻上の電子はショックを受けて軌道を離れる。軌道を離れた電子は生物イオンのバランス調整に有利で、体の神経回路の異常を正常に回復させ、体の調子が悪い感じに対する予防と改善及びマッサージ、温泉効果などの機能がある。
【００１４】
ゲルマニウムは、人体異常電位の調整機能もあり、癌細胞の電位が急激に上がる場合、ゲルマニウム元素は癌細胞の電子を奪い取り、その電位を低下させ、病症の悪化を抑える。ゲルマニウム金属のトランジスタ機能は体温を上げることができ、これによって血液循環が促進され、疲労を軽減することができる。
【００１５】
本実施形態にはインジケーターが含まれている。インジケーターは、ＰＣボード８（知能制御回路）に接続されており、ケーシング台座の中間カバー３の表面に設置されている。インジケーターは、台座カバーを閉じると、光線の透る台座カバー１からインジケーターランプの輝度が見える。これによって、充電などの対応する操作を行うことができる。
本実施形態の電気懐炉を充電する場合、バッテリパネル２はケーシング台座壁に設置されている外接充電コンセントを通じて充電することができる。
【００１６】
外観の美しさのために、ケーシング台座壁上には、チェーンを掛けるチェーン掛け穴が設置されている。
【００１７】
本実施形態の電気懐炉は、長さ、幅、高さは、それぞれ８５、６２、２２ｍｍに設計される。ただし、本実施形態の電気懐炉は、必要に応じてサイズを任意にデザインすることができる。
【００１８】
上記の具体的な実施形態は単に実施形態にすぎず、その目的は本分野の技術者に本考案を理解させるためであり、本考案の技術的範囲を限定するものと理解してはいけない。本考案に記載された主旨に基づいて行われた任意の同等な変更又は修飾などは、いずれも本考案の技術的範囲に含まれる。
【符号の説明】
【００１９】
１・・・台座カバー
２・・・バッテリパネル
３・・・中間カバー
４・・・下カバー
５・・・発熱体
６・・・発熱金属板
７・・・ゲルマニウム粒
８・・・ＰＣボード（知能制御回路）
９・・・制御スイッチ
【図１】
0003165206.tif 000003